(57)【要約】      （修正有）【課題】液体洗剤、液体漂白剤、液体柔軟剤等の詰め替えが容易な本体容器及び詰め替えパウチの容器を提供する。【解決手段】液体洗剤、液体漂白剤、液体柔軟剤、食品、化粧品等の本体容器の胴部上部に開閉部を持ち、詰め替えパウチをそのまま本体容器に入れ、本体容器の液体流出管と詰め替えパウチの接合部をラチェットにより、または密着させることにより接合・固定できるようにして、らくらく詰め替え容器を形成する。【選択図】図１
0003165984.tif 000002
【実用新案登録請求の範囲】
【請求項１】
詰め替えパウチ等をそのまま本体容器に入れることを特徴とするシャンプー、食品、化粧品等の本体容器。
【請求項２】
内容物が本体容器内に漏出しないように、本体のポンプの吸入管を挿入できる詰め替えパウチ等。
【請求項３】
図１のように、詰め替えパウチ等の上部に微小な穴を開け、空気の流出入口を持つ詰め替えパウチ等。保存時はシールにて密閉し、使用時にシールを剥がし、内容物の吸出を容易にする。
【請求項４】
パウチ等の内袋下部は内容物が最深部にたまり、最後まで内容物を使用できるようにＵ字型、Ｖ字型の形状を持つ詰め替えパウチ等。
【請求項５】
図２のように、本体容器のポンプの吸入管外周及び詰め替えパウチ等の開口部内周にラチェット構造を持つ本体容器と詰め替えパウチ等。
【請求項６】
取り外し時にはパウチ等の挿入口に設けたミシン目から、容易にラチェット部分を断裂させ、使用後のパウチ等をポンプの吸入管から外すことができる詰め替えパウチ等。
【請求項７】
請求項６のラチェット部分に、一カ所〜数カ所、ラチェットを垂直方向に貫く、空気の流出入を可能とする溝を設ける本体容器と詰め替えパウチ等。図３のように、この溝の位置が適正になるように、両者に接合位置の目印を明示し、接合を誘導する垂直方向の溝と山を設ける。これによれば、請求項３にある空気の流出入用の穴は不要になる。
【請求項８】
本体のポンプの吸入管を挿入できる挿入口を持ち、保存時はシール等で密閉し、使用時も吸入管と挿入口をシール等で密着することができる詰め替えパウチ等。
【考案の詳細な説明】
【技術分野】
【０００１】  この考案は、詰め替えが容易なシャンプー、食品、化粧品等の本体容器及び詰め替えパウチ等の容器の形状に関する。
【背景技術】
【０００２】  従来の詰め替え可能なシャンプー、食品、化粧品等の形状は、図５に示すように、詰め替えパウチ等から内容物を搾出し、本体容器へ注入するものである。あるいは、図６のように詰め替えパウチ等をカッターを用いてパウチ等を切開し本体容器に入れるものである。
【先行技術文献】
【特許文献】
【０００３】
【特許文献１】特許公開２００６−３４７６２２号公報
【特許文献２】特許公開２００６−２１９１９１号公報
【考案の概要】
【考案が解決しようとする課題】
【０００４】  しかしながら、特許文献１の技術によれば、詰め替えは内容物を搾出し、本体容器へ注入する従来の方法と同じく、内容物が外部に漏出したり、手先を汚したりする。また、本体容器内に古い内容物が残り、不衛生、不経済である。
特許文献２の技術はこれを改良したものだが、パウチ等の切開にカッターを用い、危険である上に、本体容器を傾けると、内容物が本体容器内に漏出してしまい、内容物が本体容器とパウチ等の隙間に入り込み、不衛生であるだけでなく、詰め替え時に本体とパウチ等が密着し詰め替え時に困難を来す。
【課題を解決するための手段】
【０００５】  以上の課題を解決するために、第一考案は、詰め替えパウチ等を切開することなく、そのまま本体容器に入れることを特徴とするシャンプー、食品、化粧品等の本体容器である。【０００６】  また、第二考案は、内容物が本体容器内に漏出しないように、本体のポンプの吸入管を挿入できる詰め替えパウチ等である。【０００７】  また、第三考案は、内容物を使い切るための、空気の流出入部分を設置し、底部の形状を適正にしたパウチ等である。【０００８】  また、第四考案は、詰め替えがより容易に，確実になるように、接合部分にラチェットと誘導溝を設けた本体容器及びパウチ等である。
【考案の効果】
【０００９】  第一考案、第二考案、第三考案または第四考案によれば、詰め替えが容易、確実になり、危険性もなく、内容物がパウチ外部に漏出することもなくなり、衛生的、経済的である。
【図面の簡単な説明】
【００１０】
【図１】この考案の一実施形態全体を示す断面図である。
【図２】この考案を一部変更した一実施形態全体を示す断面図である。
【図３】この考案の一実施形態の部分を示す断面図である。
【図４】この考案の他の一実施形態全体を示す断面図である。
【図５】従来の技術及び特許文献１の技術を示す断面図である。
【図６】特許文献２の技術を示す断面図である。
【考案を実施するための形態】
【００１１】  この考案の一実施形態を、図１に示す。
詰め替えパウチ等をそのまま本体容器に入れられるように、本体胴部上方にネジ式または密閉式の開閉部を設けることを特徴とするシャンプー、食品、化粧品等の本体容器である。また、内容物が本体内外に内容物が漏出しないように、本体容器のポンプの吸入管を挿入・接合できる詰め替えパウチ等である。
また、パウチ等の最深部にポンプ吸入口が位置するようにし、パウチ等下部は内容物が最深部にたまるようにＵ字型、Ｖ字型の形状を持つ。また、ポンプでの吸入を容易にするため、パウチ上部に空気の流入する微小の穴を開け、保存時にはシール等で密閉し、使用時にシール等を取り除いて使用する。
【００１２】  この考案を一部変更した一実施形態を、図２，３に示す。
本体容器とパウチ等の接合を確実にするために、図２のように本体容器ポンプの吸入管とパウチ等にラチェットを設ける。この場合、図３のようにラチェット部に空気流入口を設けることができる。
【００１３】「実施形態の効果」
以上のような実施形態によれば、本体胴部上方の開閉部から、詰め替えパウチ等を本体容器に入れることで、内容物をパウチ等から詰め替え、搾出する必要がなくなる。また、詰め替えパウチ等にポンプの吸入管を挿入・接合し、またはラチェットで固定するため、詰め替えパウチ等が本体内部で安定し、本体内部での漏出も防止でき、衛生的、経済的である。
【００１４】「他の実施形態」
図１の実施形態では、詰め替えパウチ等の中央最上部にポンプの吸入管を挿入する形状であったが、他の実施形態では、図４のように詰め替えパウチ等への挿入部分は中央最上部以外の部分でもよい。これによって、従来の形態のパウチをそのまま使用できる。この場合、パウチ等の腹部上部に吸入管の挿入口を設け、保存時はシール等を貼付する。詰め替え時にシール等を剥がし開口し、吸入管を挿入し、保存時のシール等を貼付して、挿入口及び吸入管をパウチ等に密着させ内容物の漏出を防止する。
【産業上の利用可能性】
【符号の説明】
【００１５】１    本体開閉部              ２    詰め替えパウチ等
３    吸入管                  ４    吸入管の挿入口
５    保存時のシール等        ６    パウチ下部の形状
７    耳状の安定化部分        ８    空気の流入する微小の穴
９    ラチェット（歯止め）    １０  取り外し時のミシン目
１１  接合を誘導する溝と山
【図１】
0003165984.tif 000003
【図２】
0003165984.tif 000004
【図３】
0003165984.tif 000005
【図４】
0003165984.tif 000006
【図５】
0003165984.tif 000007
【図６】
0003165984.tif 000008
【手続補正書】
【提出日】平成22年7月11日(2010.7.11)
【手続補正２】
【補正対象書類名】明細書
【補正対象項目名】全文
【補正方法】変更
【補正の内容】
【考案の詳細な説明】
【技術分野】
【０００１】  この考案は、詰め替えが容易なシャンプー、コンディショナー、液体洗剤、液体漂白剤、液体柔軟剤の本体容器及び詰め替えパウチの容器の形状に関する。
【背景技術】
【０００２】  従来の詰め替え可能なシャンプー、コンディショナー、液体洗剤、液体漂白剤、液体柔軟剤の形状は、図５に示すように、詰め替えパウチから内容物を搾出し、本体容器へ注入するものである。あるいは、図６のように詰め替えパウチをカッターを用いてパウチを切開し本体容器に入れるものである。
【先行技術文献】
【特許文献】
【０００３】
【特許文献１】特許公開２００６−３４７６２２号公報
【特許文献２】特許公開２００６−２１９１９１号公報
【考案の概要】
【考案が解決しようとする課題】
【０００４】  しかしながら、特許文献１の技術によれば、詰め替えは内容物を搾出し、本体容器へ注入する従来の方法と同じく、内容物が外部に漏出したり、手先を汚したりする。また、本体容器内に古い内容物が残り、不衛生、不経済である。  特許文献２の技術はこれを改良したものだが、パウチの切開にカッターを用い、危険である上に、本体容器を傾けると、内容物が本体容器内に漏出してしまい、内容物が本体容器とパウチの隙間に入り込み、不衛生であるだけでなく、詰め替え時に本体とパウチが密着し詰め替え時に困難を来す。
【課題を解決するための手段】
【０００５】  以上の課題を解決するために、第一考案は、詰め替えパウチを切開することなく、そのまま本体容器に入れることを特徴とするシャンプー、コンディショナー、液体洗剤、液体漂白剤、液体柔軟剤の本体容器である。【０００６】  また、第二考案は、内容物が本体容器内に漏出しないように、本体の液体流出管と接合できる詰め替えパウチである。【０００７】  また、第三考案は、内容物を使い切るための、空気の流出入部分を設けたパウチである。【０００８】  また、第四考案は、詰め替えがより容易に，確実になるように、接合部分にラチェットと誘導溝を設けた本体容器及びパウチである。
【考案の効果】
【０００９】  第一考案、第二考案、第三考案または第四考案によれば、詰め替えが容易、確実になり、危険性もなく、内容物がパウチ外部に漏出することもなくなり、衛生的、経済的である。
【図面の簡単な説明】
【００１０】
【図１】この考案の一実施形態全体を示す断面図である。
【図２】この考案の特徴を明示した一実施形態全体を示す断面図である。
【図３】この考案の一実施形態の部分を示す断面図である。
【図４】この考案の他の一実施形態全体を示す断面図である。
【図５】従来の技術及び特許文献１の技術を示す断面図である。
【図６】特許文献２の技術を示す断面図である。
【考案を実施するための形態】
【００１１】  この考案の一実施形態を、図１に示す。  詰め替えパウチをそのまま本体容器に入れられるように、本体胴部上方にネジ式または密閉式の開閉部を設けることを特徴とするシャンプー、コンディショナー、液体洗剤、液体漂白剤、液体柔軟剤の本体容器である。また、内容物が本体内外に内容物が漏出しないように、本体容器の液体流出管をラチェットにより固定できる詰め替えパウチである。 
【００１２】  この考案のシャンプー、コンディショナーの場合の一実施形態の細部を、図２，３に示す。本体容器とパウチの接合を確実にするために、図２のように本体容器液体流出管とパウチにラチェットを設ける。この場合、図３のようにラチェット部に空気流入口を設ける。
【００１３】「実施形態の効果」  以上のような実施形態によれば、本体胴部上方の開閉部から、詰め替えパウチを本体容器に入れることで、内容物をパウチから詰め替え、搾出する必要がなくなる。また、詰め替えパウチに液体流出管をラチェットで固定するため、詰め替えパウチが本体内部で安定し、本体内部での漏出も防止でき、衛生的、経済的である。
【００１４】「他の実施形態」  図４は、液体洗剤、液体漂白剤、液体柔軟剤における実施形態である。液体流出管とパウチを，ラチェットにより接合する点は図１と同等である。
【符号の説明】
【００１５】１  本体開閉部            ２  詰め替えパウチ３  液体流出管            ４  液体流出管の挿入口５  ラチェット（歯止め）  ６  取り外し時のミシン目７  接合を誘導する溝と山 
【手続補正３】
【補正対象書類名】実用新案登録請求の範囲
【補正対象項目名】全文
【補正方法】変更
【補正の内容】
【実用新案登録請求の範囲】
【請求項１】
本体容器の胴部上部に開閉部を持ち、詰め替えパウチをそのまま本体容器に入れ、本体容器と接合することを特徴とする、らくらく詰め替え容器。
【請求項２】
図２のように、本体容器の液体流出管外周及び詰め替えパウチの開口部内周にラチェット構造を持つ、らくらく詰め替え容器。
【請求項３】
取り外し時にはパウチの挿入口に設けたミシン目から、容易にラチェット部分を断裂させ、使用後のパウチを液体流出管から外すことができる、らくらく詰め替え容器。
【請求項４】
図３のように、この溝の位置が適正になるように、両者に接合位置の目印を明示し、接合を誘導する垂直方向の溝と山を設けた、らくらく詰め替え容器。
【請求項５】
請求項２のラチェット部分に、一カ所〜数カ所、ラチェットを垂直方向に貫く、空気の流出入を可能とする溝を設けた、らくらく詰め替え容器。
【手続補正４】
【補正対象書類名】図面
【補正対象項目名】図１
【補正方法】変更
【補正の内容】
【図１】
0003165984.tif 000009
【手続補正５】
【補正対象書類名】図面
【補正対象項目名】図２
【補正方法】変更
【補正の内容】
【図２】
0003165984.tif 000010
【手続補正６】
【補正対象書類名】図面
【補正対象項目名】図３
【補正方法】変更
【補正の内容】
【図３】
0003165984.tif 000011
【手続補正７】
【補正対象書類名】図面
【補正対象項目名】図４
【補正方法】変更
【補正の内容】
【図４】
0003165984.tif 000012
【手続補正書】
【提出日】平成22年10月3日(2010.10.3)
【手続補正１】
【補正対象書類名】明細書
【補正対象項目名】全文
【補正方法】変更
【補正の内容】
【考案の詳細な説明】
【技術分野】
【０００１】
この考案は、詰め替えが容易なシャンプー、コンディショナー、液体洗剤、液体漂白剤、液体柔軟剤、食品、化粧品の本体容器及び詰め替えパウチの容器の形状に関する。
【背景技術】
【０００２】
従来の詰め替え可能なシャンプー、コンディショナー、液体洗剤、液体漂白剤、液体柔軟剤、食品、化粧品の形状は、図３に示すように、詰め替えパウチから内容物を搾出し、本体容器へ注入するものである。あるいは、図４のように詰め替えパウチをカッターを用いてパウチを切開し本体容器に入れるものである。
【先行技術文献】
【特許文献】
【０００３】
【特許文献１】特許公開２００６−３４７６２２号公報
【特許文献２】特許公開２００６−２１９１９１号公報
【考案の概要】
【考案が解決しようとする課題】
【０００４】
しかしながら、特許文献１の技術によれば、詰め替えは内容物を搾出し、本体容器へ注入する従来の方法と同じく、内容物が外部に漏出したり、手先を汚したりする。また、本体容器内に古い内容物が残り、不衛生、不経済である。
特許文献２の技術はこれを改良したものだが、パウチの切開にカッターを用い、危険である上に、本体容器を傾けると、内容物が本体容器内に漏出してしまい、内容物が本体容器とパウチの隙間に入り込み、不衛生であるだけでなく、詰め替え時に本体とパウチが密着し詰め替え時に困難を来す。
【課題を解決するための手段】
【０００５】
以上の課題を解決するために、第一考案は、詰め替えパウチを切開することなく、そのまま本体容器に入れることを特徴とするシャンプー、コンディショナー、液体洗剤、液体漂白剤、液体柔軟剤、食品、化粧品の本体容器である。
【０００６】
また、第二考案は、詰め替えパウチをそのまま本体容器に入れることができ、本体の液体流出管の直径を上部に向けて僅かに大きくすることで、本体容器の液体流出管を詰め替えパウチの接合部に挿入・密着させて、接合・固定できる詰め替えパウチである。
【０００７】
また、第三考案は、詰め替えパウチをそのまま本体容器に入れることができ、本体容器の液体流出管と詰め替えパウチの接合部にラチェットを設けることにより、接合・固定がより確実になるようにした、本体容器及び詰め替えパウチである。
【考案の効果】
【０００８】
第一考案、第二考案、第三考案によれば、内容物を搾出せずに詰め替えができ、危険性もなく、内容物がパウチ外部に漏出することもなくなり、衛生的、経済的である。
【図面の簡単な説明】
【０００９】
【図１】この考案の一実施形態全体を示す断面図である。
【図２】この考案の他の一実施形態全体を示す断面図である。
【図３】従来の技術及び特許文献１の技術を示す断面図である。
【図４】特許文献２の技術を示す断面図である。
【考案を実施するための形態】
【００１０】
この考案の、本体容器にポンプを備えるシャンプー、コンディショナーの場合の一実施形態を、図１に示す。
詰め替えパウチをそのまま本体容器に入れられるように、本体胴部上方にネジ式または密閉式の開閉部を設け、詰め替えパウチと本体容器の液体流出管を、ラチェットにより、または密着させることにより、接合・固定できることを特徴とするらくらく詰め替え容器である。
【００１１】
「実施形態の効果」
以上のような実施形態によれば、本体胴部上方の開閉部から、詰め替えパウチを本体容器に入れ、接合・固定することで、内容物を詰め替えパウチから搾出する必要がなくなる。
【００１２】
また、本体容器の液体流出管と詰め替えパウチの接合部をラチェットにより、または密着させることにより接合・固定するため、詰め替えパウチが本体内部で安定し、本体内部での漏出も防止でき、衛生的、経済的である。
【００１３】
「他の実施形態」
図２は、液体洗剤、液体漂白剤、液体柔軟剤、食品、化粧品における実施形態である。この場合、本体容器を傾けて使用することが多く、液体流出管は短いので、本体容器の液体流出管と詰め替えパウチの接合は、ラチェットを設けることで、より確実に接合・固定することができる。
【符号の説明】
【００１４】
１  本体開閉部            ２  詰め替えパウチ
３  液体流出管            ４  詰め替えパウチと液体流出管の接合部 
【手続補正２】
【補正対象書類名】実用新案登録請求の範囲
【補正対象項目名】全文
【補正方法】変更
【補正の内容】
【実用新案登録請求の範囲】
【請求項１】
シャンプー、コンディショナー、液体洗剤、液体漂白剤、液体柔軟剤、食品、化粧品の本体容器の胴部上部に開閉部を持ち、詰め替えパウチをそのまま本体容器に入れ、本体容器の液体流出管と詰め替えパウチの接合部をラチェットにより、または密着させることにより接合・固定することを特徴とする、らくらく詰め替え容器。
【手続補正３】
【補正対象書類名】図面
【補正対象項目名】図１
【補正方法】変更
【補正の内容】
【図１】
0003165984.tif 000013
【手続補正４】
【補正対象書類名】図面
【補正対象項目名】図２
【補正方法】変更
【補正の内容】
【図２】
0003165984.tif 000014
【手続補正５】
【補正対象書類名】図面
【補正対象項目名】図３
【補正方法】変更
【補正の内容】
【図３】
0003165984.tif 000015
【手続補正６】
【補正対象書類名】図面
【補正対象項目名】図４
【補正方法】変更
【補正の内容】
【図４】
0003165984.tif 000016
【手続補正７】
【補正対象書類名】図面
【補正対象項目名】図５
【補正方法】削除
【補正の内容】
【手続補正８】
【補正対象書類名】図面
【補正対象項目名】図６
【補正方法】削除
【補正の内容】